(57)【要約】【課題】本発明は、小型化（ロープロ化）を達成しつつ、機能スイッチの誤操作を招き難い魚釣用リールを提供する。【解決手段】本発明に係る魚釣用リール１００は、左右の側板２，２と、左右の側板２，２間の上部に介在する表示ケース２２と、を有するリール本体１と、表示部３２及び機能スイッチ３３を有する釣り情報装置３０と、を備える魚釣用リール１００であって、表示部３２は、表示ケース２２に設けられ、機能スイッチ３３は、左右の側板２，２の少なくとも一方に設けられていることを特徴とする。【選択図】図１
2018110570.tif 000002
【特許請求の範囲】
【請求項１】
左右の側板と、前記左右の側板間の上部に介在する表示ケースと、を有するリール本体と、
表示部及び機能スイッチを有する釣り情報装置と、を備える魚釣用リールであって、
前記表示部は、前記表示ケースに設けられ、
前記機能スイッチは、前記左右の側板の少なくとも一方に設けられていることを特徴とする魚釣用リール。
【請求項２】
前記機能スイッチは、前記側板に形成された凹部内に配置されていることを特徴とする請求項１に記載の魚釣用リール。
【請求項３】
前記凹部は、前記左右の側板のうち、ハンドルが設けられた側板とは反対側の側板に設けられていることを特徴とする請求項２に記載の魚釣用リール。
【請求項４】
前記側板は、少なくても側面と上面とを備え、
前記凹部は、前記側面に形成されていることを特徴とする請求項２又は請求項３に記載の魚釣用リール。
【請求項５】
前記釣り情報装置の制御基板は、前記左右の側板のうち、少なくても一方に設けられていることを特徴とする請求項１から請求項４に記載の魚釣用リール。
【発明の詳細な説明】
【技術分野】
【０００１】
本発明は、魚釣用リールに関する。
【背景技術】
【０００２】
両軸受型の魚釣用リールは、満潮の時間や水中探知情報など、釣りに関する様々な釣り情報を釣り人に知らせるため、表示部を備えた釣り情報装置を備える場合がある。
たとえば、糸長計測装置を備える魚釣用リールでは、釣糸の繰り出し量や巻き取り量を計測し、その計測結果の情報を釣糸の繰り出し量や巻き取り量として表示部に表示している。
このような魚釣用リールにおいて、従来、リール本体の左右の側板間の上部に略箱形のケース本体が設けられ、そのケース本体内に釣り情報装置の全ての構成要素がまとめて格納されていた。
【０００３】
ここで、糸長計測装置の構成は、スプールの回転数などの情報から釣り人が取得したい情報を演算する演算部が実装された制御基板と、演算部により演算された情報（例えば、釣糸の繰り出し量や巻き取り量）を表示する表示部と、演算部をＯＮ／ＯＦＦしたり又は演算部が演算する情報を切り替えたりするための機能スイッチと、を備えている。
よって、釣り情報装置が糸長計測装置の場合、制御基板、表示部並びに機能スイッチがケース本体内に格納されていた。
【０００４】
ところで、近年の魚釣用リールは、握持保持性及び釣り操作性向上の面より、ロープロ化（釣竿から径方向外側に突出する突出量の低減化）の傾向にある。よって、上記した従来のケース本体は、釣り情報装置の表示部以外にさまざまの部品を格納しているため、上下方向の厚みが大きく、ロープロ化の妨げの要因となっていた。
【０００５】
上記理由から、下記特許文献１の魚釣用リールでは、左右の側板を連結する支柱に表示部及び機能スイッチを設けていた。
また、下記特許文献２の魚釣用リールでは、リール本体の左右の側板のうち、一方の側板の前端部に表示部及び機能スイッチを隣接して設けていた。
【先行技術文献】
【特許文献】
【０００６】
【特許文献１】特許第３９０３４０３号公報
【特許文献２】実開昭６１−８９２７９号公報
【発明の概要】
【発明が解決しようとする課題】
【０００７】
しかしながら、上記特許文献１の支柱は、表示部と機能スイッチとを格納するため、従来の支柱よりも大きくなるため、依然として魚釣用リールのロープロ化を妨げていた。
また、上記特許文献１の支柱は、表示部及び機能スイッチを外側に露出するための開口を形成しているため、強度が不十分であった。
さらに、機能スイッチは、支柱に設けられていることから、リール本体の左右方向中央部に位置している。このため、パーミングする場合（釣竿とリール本体とを一緒に把持する場合）、親指が機能スイッチに接触し易く、誤操作の要因になっていた。
【０００８】
また、上記特許文献２によれば、リール本体の側板の外周の前端部に表示部と機能スイッチとが隣接して配置されているため、側板を把持できる領域を狭くする要因、言い換えると、パーミングし難く誤操作を招く原因となっていた。さらに、側板の前端部に表示部があるため、視認し難いという問題もある。
【０００９】
本発明は、このような課題を解決するために創作されたものであり、小型化（ロープロ化）を達成しつつ、機能スイッチの誤操作を招き難い魚釣用リールを提供することを課題とする。
【課題を解決するための手段】
【００１０】
前記課題を解決するため、本発明に係る魚釣用リールは、左右の側板と、前記左右の側板間の上部に介在する表示ケースと、を有するリール本体と、表示部及び機能スイッチを有する釣り情報装置と、を備える魚釣用リールであって、前記表示部は、前記表示ケースに設けられ、前記機能スイッチは、前記左右の側板の少なくとも一方に設けられていることを特徴とする。
【００１１】
前記発明によれば、表示ケースに機能スイッチが設けられていないため、表示ケースを肉薄にできる。このため、リール本体において表示ケースによる上方への突出量を低減することができ、魚釣用リールのロープロ化を図ることができる。
また、表示ケースに機能スイッチが設けられていないことから、パーミングする場合、親指が機能スイッチに接触して誤操作する、ということを回避できる。
さらに、表示ケースに機能スイッチが設けられていないことから、比較的大きな表示部を用いることができ、デザイン性向上と見易さ向上も図ることができる。
また、表示ケースに表示部が配置される一方で、側板に機能スイッチが配置されており、表示部と機能スイッチとが分離配置されている。このため、表示部と機能スイッチとが側板に隣接配置される場合よりも、把持領域が大きくなり、パーミングし易くなり、魚釣用リールの操作性の向上を図ることができる。
また、表示部がリール本体の中央部に位置するため、視認し易くなる。
さらに、支柱は、釣り情報装置の構成が設けられていないため、支柱の強度を確保することができ、魚釣用リールの耐久性向上を図れる。
【００１２】
また、前記発明において、前記機能スイッチは、前記側板に形成された凹部内に配置されていることが好ましい。
【００１３】
前記構成によれば、機能スイッチが側板から突出する量を小さく抑えることができ、釣り人が意図せず、機能スイッチに接触することを防止できる。よって、誤操作を防止することができる。
【００１４】
また、前記発明において、前記凹部は、前記左右の側板のうち、ハンドルが設けられた側板とは反対側の側板に設けられていることが好ましい。
【００１５】
前記構成によれば、機能スイッチがハンドルに覆われることがないため、機能スイッチを操作し易く、釣果向上を図れる。
【００１６】
また、前記発明において、前記側板は、少なくても側面と上面とを備え、前記凹部は、前記側面に形成されていることが好ましい。
【００１７】
前記構成によれば、釣り人がリール本体をパーミングする場合に親指を側板の上面に載せるため、親指が接触し難い側面に機能スイッチが配置されることとなり、誤操作の可能性が低くなる。
また、前記構成によれば、機能スイッチが側板の側面側に配置されるため、実釣り時に魚釣用リールを引っ繰り返した状態で地面等に置いたとしても機能スイッチが誤って押圧されることがなく、誤操作を防止できる。
【００１８】
また、前記発明において、前記釣り情報装置の制御基板は、前記左右の側板のうち、少なくても一方に設けられていることが好ましい。
【００１９】
前記構成によれば、表示ケースを更に肉薄にでき、魚釣用リールのロープロ化をさらに図ることができる。
【発明の効果】
【００２０】
以上から、本発明によれば、小型化（ロープロ化）を達成しつつ、機能スイッチの誤操作を招き難い魚釣用リールを提供することができる。
【図面の簡単な説明】
【００２１】
【図１】実施形態の魚釣用電動リールを上方から視た平面図である。
【図２】図１のＡ−Ａ線矢視断面図である。
【図３】パーミングした状態の魚釣用電動リールを右側から右側面図である。
【図４】パーミングした状態の魚釣用電動リールを上方から視た平面図である。
【発明を実施するための形態】
【００２２】
つぎに、本発明の魚釣用リールを適用した魚釣用電動リールの実施形態について、図面を参照しながら説明する。
また、釣り情報装置として、釣糸の繰り出し量や巻き取り量を計測する糸長計測装置を用いた例を挙げて説明する。
また、以下の説明において、「前後」「左右」を言うときは、図１に示した方向を基準とし、「上下」を言うときは、図２に示した方向を基準とする。また、同一の要素には同一の符号を用い、重複する説明は省略する。
【００２３】
図１に示すように、本実施形態に係る魚釣用電動リール１００は、左右に離間して配置される左右の側板２，２を有するリール本体１と、左側の側板２に回転自在に支持されるハンドル８と、左右の側板２，２間に配置されたスプール９、モータ１２（図２参照）、並びにジョグダイヤル１３と、糸長計測装置３０と、を備えている。
【００２４】
なお、上記したモータ１２は、スプール９を回転させるための駆動力を生成する電動機である。また、ジョグダイヤル１３は、操作方向の回転量の検出値（公知の角度センサ）に基づいてモータ１２の出力をコントロールしたり、後述する表示部３２に表示される表示内容を変更したりするための操作部材である。本実施形態のモータ１２及びジョグダイヤル１３は公知であるため、詳細な説明は省略する。
【００２５】
リール本体１は、左右方向に延在する２つの支柱３，３（図２参照）と、２つの支柱３，３を左右両側から挟む左右のフレーム４，４と、左右のフレーム４，４のそれぞれの外側に配置される左右のサイドプレート５，５と、左右のフレーム４，４間の前側に配置固定されるケース本体２０と、フロントカバー２４と、が設けられている。
なお、側板２は、フレーム４とサイドプレート５とにより構成される。
【００２６】
図２に示すように、支柱３は、左右のフレーム４，４間の下側に配置され、左右方向に延在している。
２つの支柱３，３のそれぞれは、互いに前後方向に離間し、前後方向に延在する竿取付部３ａと一体に形成されている。
特に図示しないが、支柱３の両端には、左右のフレーム４，４を貫通するねじが螺合し、支柱３と左右のフレーム４，４とが一体化されている。なお、本発明において、支柱３と左右のフレーム４，４とが金型で一体成形されたものを用いてもよい。
また、図３に示すように、竿取付部３ａが釣竿２００のリールシート２０１に取り付けられると、魚釣用電動リール１００は、釣竿２００の上側に配置される。
【００２７】
フレーム４は、上下方向及び前後方向に延在する金属板であり、側面視で前後方向に長い楕円形に形成されている。
図２に示すように、左右のフレーム４，４間の空間には、後側から順に、クラッチレバー１０，スプール軸１１、モータケース１２ａ、レベルワインド機構１４が設けられている。
【００２８】
クラッチレバー１０は、後述するクラッチ機構において、動力伝達機構の動力伝達状態と動力遮断状態とを切り換えるための操作レバーであり、作動範囲内で上下方向に移動自在に支持されている。
【００２９】
スプール軸１１の両端は、左右のフレーム４，４に設けられた軸受（不図示）により支持されている。このため、スプール軸１１は、回転自在になっている。
また、スプール軸１１に支持されるスプール９は、略円筒状を呈し釣糸が巻回される糸巻き胴部９ａと、糸巻き胴部９ａの両端に設けられた左右のフランジ部９ｂと、糸巻き胴部９ａの内周面から径方向内側に張り出してスプール軸１１に回り止め嵌合する内筒部９ｃと、を備えている。
また、スプール９は、左右のフレーム４，４間の空間において、前後方向の後寄りに配置されている。このため、左右の側板２，２間に形成される空間において、後側の大部分はスプール９により占有されている。
【００３０】
モータケース１２ａは、モータ１２を収納する円筒状部品である。
モータケース１２ａは、左右のフレーム４，４に一体に形成されている。
また、モータケース１２ａは、左右のフレーム４，４間の空間において、スプール９の前側であって上下方向の下寄りに配置されている。このため、モータケース１２ａの上方には、釣糸が通過可能な空間Ｓ１が形成されている。
なお、本実施形態において、図２に示すように、モータケース１２ａの上方の空間Ｓ１は、比較的大きく形成されている。このため、スプール９の糸巻き胴部９ａが小径であっても、モータケース１２ａの上方の空間Ｓ１に釣糸を通すことができる。
【００３１】
レベルワインド機構１４は、スプール９に巻回される釣糸を均等にするための装置である。レベルワインド機構１４は、公知のように、回転自在に装着された螺軸１４ａと、螺軸１４ａを覆う案内筒１４ｂと、案内筒１４ｂの外周面を摺動する釣糸案内体１５と、を備えている。
釣糸案内体１５には、内部を釣糸が通る環状の案内部１５ａが形成されている。
この案内部１５ａは、モータケース１２ａよりも上方に位置し、スプール９の糸巻き胴部９ａに巻回されている釣糸がモータケース１２ａの上部を通過するようにガイドしている（図２の破線Ａと破線Ｂとの間の領域Ｓ２を参照）。
よって、左右のフレーム４，４間の空間において、図２の破線Ａと破線Ｂとの間の領域Ｓ２は、釣糸が通過するための領域として確保されている。
【００３２】
つぎに、左右のサイドプレート５，５について説明する。
サイドプレート５は、左右方向内側に向って開口する箱状（有底筒状）の部品であり、フレーム４に図示しないねじにより固定され、フレーム４と一体になっている。よって、フレーム４とサイドプレート５とにより構成される側板２は、内部空間を有している。
以下、サイドプレート５において、フレーム４の左右方向の外側に離間し、フレーム４に対向する板状の壁部を対向壁部６と称する。
【００３３】
なお、ハンドル８が設けられている側の左側の側板２内には、特に図示しないが、ハンドル８の回転操作による駆動力をスプール軸１１に伝達したり、モータ１２により生成された駆動力を減速してスプール軸１１に伝達したりする公知の動力伝達機構と、動力伝達機構の動力伝達状態と動力遮断状態とを切り換える公知のクラッチ機構と、が設けられている。
なお、本発明は、モータ１２により生成された駆動力を減速してスプール軸１１に伝達する公知の減速機構を一方の右側板２内に設けて構成してもよい。
【００３４】
図３に示すように、サイドプレート５においてハンドル８が設けられていない右側の対向壁部６は、側面視でフレーム４と同形状に形成され、前後方向に長く形成されている。
右側のサイドプレート５において、対向壁部６の右面（外面）６ａは、右側の側板２の右側面を構成している。
よって、対向壁部６の右面（外面）６ａの後側は、実釣時に釣り人がパーミングした場合、掌が当てられるようになっている。
【００３５】
対向壁部６の右面（外面）６ａは、対向壁部６の縁部から中心に向って緩やかに突出しており、丸みを帯びた面となっている。このため、パーミングした場合、掌を右側の側板２の右側面に当てやすく、把持性が向上している。
また、右側のサイドプレート５において、対向壁部６の右面（外面）６ａの中央部には、左側に向って窪む凹部６ｂが形成されている。
なお、上記した凹部６ｂについては後述する。
そのほか、右側のサイドプレート５の前側の下部には、モータ１２に電力を供給するための給電部１６が設けられている。
【００３６】
図３に示すように、ケース本体２０は、略箱状に形成され、左右の側板２，２の上面に載置されて水平かつ前後方向に延在する一対の水平部２１，２１と、一対の水平部２１，２１の前部に連続する表示ケース２２と、を備えている。
なお、ケース本体２０は、図示しないねじにより左右のフレーム４，４の上部に固定されている。
【００３７】
図４に示すように、水平部２１は、前後方向に長く形成されており、水平部２１の上面に親指を乗せることができるようになっている。
また、水平部２１は、平面視でスプール９の側方に位置し、サミングし易くなっている。つまり、釣糸放出時、水平部２１に載せている親指を左右の側板２，２間に進入させて、糸巻き胴部９ａに巻回される釣糸又はフランジ部９ｂに触れる動作を、スムーズに行うことができる。
【００３８】
一対の水平部２１，２１の前部２１ａ，２１ａは、モータ１２の出力の増減調整を行うジョグダイヤル１３の両端を回転自在に支持するダイヤル支持部を構成している。このため、図４に示すように、水平部２１に載せている親指を左方へスライドさせることで、ジョグダイヤル１３を容易に回動操作することができ、操作性向上が図られている。
【００３９】
図２に示すように、一対の水平部２１，２１は、ジョグダイヤル１３の外周面の最後端１３ａが、スプール９のフランジ部９ｂの外径の最前端（破線Ｄ１参照）よりも、前方に位置するように支持している。
つまり、一対の水平部２１，２１は、ジョグダイヤル１３がスプール９と上下方向に重なり合わないようにジョグダイヤル１３を支持している。
また、一対の水平部２１，２１は、ジョグダイヤル１３の外周面の最下端１３ｂが、スプール９のフランジ部９ｂの最上端（破線Ｄ２参照）よりも低くなるように支持している。
この結果、ジョグダイヤル１３は、スプール９に接触することなく、左右の側板２，２から上方に突出する量が低減するように低く抑えられている。
なお、左右の側板２，２から上方に突出する量が低減するために、ジョグダイヤル１３を小径とする方法も考えられるが、ジョグダイヤル１３を小径とすると操作性が悪くなるおそれがある。よって、実施形態によれば、大径に形成されたジョグダイヤル１３を用いることができ、魚釣り操作性を好適に確保している。
なお、本実施形態のジョグダイヤル１３は、領域Ｓ２よりも上方に位置するため、釣糸が接触しないようになっている。
【００４０】
表示ケース２２は、左右の側板２，２間の上部に位置しており、左右方向の中央部に位置しているケースである。
表示ケース２２は、上方に開口する箱状（有底筒状）であり、上方から視て、矩形状を呈している。表示ケース２２内には、後述する液晶表示部３２が格納され、表示ケース２２の開口部２２ａから液晶表示部の表示内容が視認可能になっている。
また、表示ケース２２の開口部２２ａは、ガラス等の透明部材２２ｂがシールされて嵌め込まれており、液晶表示部３２の防水が図られている。
【００４１】
フロントカバー２４は、左右のフレーム４，４間の前側に配置されて上下方向に延在し、左右のフレーム４，４の間に海水が侵入することを防止するためのものである。
また、フロントカバー２４には、上方に延びてケース本体２０と連結するための一対の連結部２４ａ，２４ａが形成されており、フロントカバー２４とケース本体２０とが一体的に当接連結されている。
よって、表示ケース２２と、一対の連結部２４ａ，２４ａと、フロントカバー２４とにより囲まれた開口部２５は、釣り糸が挿通するための空間となっている。
【００４２】
図１に示すように、糸長計測装置３０は、演算部が実装された制御基板３１と、演算部に演算された情報（例えば、釣糸の繰り出し量や巻き取り量）を表示する液晶表示部３２と、演算部が演算すべき情報を切り替える機能スイッチ３３とを備えている。
また、液晶表示部３２及び機能スイッチ３３は、配線を介して制御基板３１と電気的に接続している。
なお、図面では、液晶表示部３２と制御基板３１とを接続する配線３５（図３参照）を図示し、機能スイッチ３３と制御基板３１とを接続する配線の図を省略している。
【００４３】
液晶表示部３２は、表示ケース２２に格納され、魚釣用電動リール１００の左右方向の中央部に位置している。このため、釣り人は、液晶表示部３２の表示内容を視認し易くなっている。
また、機能スイッチ３３及び制御基板３１は、ハンドル８が設けられていない右側の側板２に配設及び収容されており、表示ケース２２に収容されず、液晶表示部３２と分離配置されている。
このため、表示ケース２２は、液晶表示部３２のみを収容できる大きさに形成されており、機能スイッチ３３や制御基板３１を配設、収容する従来の表示ケースよりも上下方向に肉薄化されている。
【００４４】
また、機能スイッチ３３は、側板２に形成された凹部６ｂ内に配置されている。このため、機能スイッチ３３が側板２から突出する量が抑えられ、釣り人が意図せず機能スイッチに接触すること、つまり、誤操作することが抑制される。
なお、図１に示すように、凹部６ｂの窪み量は、機能スイッチ３３の突出量よりも大きく、機能スイッチ３３が右側面６ａよりも右側に突出しないように配置することが誤操作防止及び握持保持性向上の面より好ましい。
【００４５】
また、機能スイッチ３３は、左右の側板２，２のうち、ハンドル８が設けられていない右側の側板２内に設けられている。このため、機能スイッチ３３はハンドル８に覆われることがなく、操作性が向上している。
【００４６】
ここで、凹部６ｂは、右側の側板２において側方を向く右側面６ａに形成されている。
よって、機能スイッチ３３は、図３、図４に示すように、例えば、ハンドル８が設けられていない側（右側）の側板２の上面に載せられる親指から離間し、誤操作を確実に防止できる。
また、図３に示すように、凹部６ｂは、右側面６ａの中央部に形成されており、パーミングしている右手の掌が当たらない部位に形成されている。このため、誤操作をより確実に防止できる。
【００４７】
以上、実施形態によれば、ジョグダイヤル１３及び表示ケース２２の位置が低く抑えられており、ロープロ化された魚釣用電動リール１００を提供することができる。
また、機能スイッチ３３は、リール本体１の上面側ではなく、側面側（側板２の右面６ａ）に設けられているため、実釣り時に魚釣用リール１００を引っ繰り返した状態で地面等に置いたとしても、機能スイッチ３３が誤って押圧されることがなく、誤操作を防止できる。
【００４８】
以上、実施形態について説明したが、本発明は実施形態で説明した例に限定されない。
実施形態では、モータ１２及びジョグダイヤル１３を備えた魚釣用電動リール１００について説明したが、モータ１２及びジョグダイヤル１３を備えていない両軸受用の魚釣用リールであってもよい。
また、ジョグダイヤル１３は、ケース本体２０の一対の水平部２１，２１に形成された一対の支持部２１ａ，２１ａに回動可能に支持され、ケース本体２０とユニット化されているが、前記したジョグダイヤル１３の回転中心軸Ｏ１と糸巻き胴部９ａとの位置関係を構成できれば、左右の側板２，２に形成された支持部にジョグダイヤル１３を回動可能に支持させてもよい。
【００４９】
また、実施形態のリール本体１は、凹部６ｂを形成し、その凹部６ｂ内に機能スイッチ３３を配置しているが、本発明は凹部６ｂが形成されていないリール本体１であってもよい。
【００５０】
また、実施形態の凹部６ｂ及び機能スイッチ３３は、ハンドル８が設けられていない右側の側板２の側面６ａ以外に上面に設けられてもよいし、又は、ハンドル８が設けられた左側の側板２の側面又は上面に設けてもよい。更には、機能スイッチ３３は、左右の側板２，２に設けられていればよく、左右の側板２，２の上面に載置されるケース本体２０の水平部２１，２１に設けて表示部３２と離間配置してもよい。
【００５１】
また、スプール９の外形は側面視で円形を成しており、スプール９の回転軸から前方に向うほど、スプール９が占有する空間の高さが次第に低くなる。よって、ジョグダイヤル１３の位置を低くするため、少なくても、ジョグダイヤル１３の中心軸Ｏ１がスプール９の糸巻き胴部９ａの最前端よりも前方に位置するように設計すればよい。このため、実施形態において、ジョグダイヤル１３の外周面の最後端１３ａを、スプール９のフランジ部９ｂの外径の最前端（図２の破線Ｄ１参照）よりも、前方に位置するように設計しているが、本発明はこれに限定されるものではない。
【００５２】
また、本実施形態では、図２に示すように、レベルワインド機構１４がモータ１２よりも前側に配置されているが、スプール９とモータ１２との間に配置されてもよい。
【００５３】
また、本実施形態では、糸長計測装置３０を用いた例を挙げて説明したが、表示部及び機能スイッチを備えた釣り情報装置であれば、特に限定されない。
【符号の説明】
【００５４】
１      リール本体
２      側板
４      フレーム
５      サイドプレート
６ａ    右側面
６ｂ    凹部
８      ハンドル
９      スプール
９ａ    糸巻き胴部
９ｂ    フランジ部
１０    クラッチ
１１    スプール軸
１２    モータ
１２ａ  モータケース
１３    ジョグダイヤル
１４    レベルワインド機構
１５    釣糸案内体
２０    ケース本体
２１    水平部
２２    表示ケース
２４    フロントカバー
２５    開口部
３０    糸長計測装置（釣り情報装置）
３１    制御基板
３２    液晶表示部（表示部）
３３    機能スイッチ
１００  魚釣用電動リール
２００  釣竿
２０１  リールシート
【図１】
2018110570.tif 000003
【図２】
2018110570.tif 000004
【図３】
2018110570.tif 000005
【図４】
2018110570.tif 000006